(57)【要約】例えば、通話セットアップ時間短縮に向けてモバイル無線機器の１つ以上のエアインターフェイスをインテリジェントに選択し動作させる方法及び装置。一実施形態では、高速セルラーインターフェースの動作は、例えば、ページを受信するために異なるセルラーインターフェースを使用することにより通話セットアップ時間を最小限に抑えるように、選択的に、調節されるか、又は、必要とされないときにはディスエーブル又は切り替えされる。一実施例では、無線機器は、高速セルラーインターフェースと、低速セルラーインターフェースと、ＷＬＡＮ（例えば、Ｗｉ−Ｆｉ）インターフェースとを含む。
2015513251.tif 000002
【特許請求の範囲】
【請求項１】
少なくとも第１のモード及び第２のモードで動作可能なセルラー無線送受信器と、
前記セルラー無線送受信器と信号通信しているプロセッサと、
前記プロセッサと通信しているコンピュータ化された論理部であって、
前記プロセッサの動作状態を判断し、
前記動作状態が第１の動作状態であるとき、前記第１のモードで前記セルラー無線送受信器を動作させ、
それ以外のときは、前記第２のモードで前記セルラー無線送受信器を動作させるように構成されたコンピュータ化された論理部とを備えることを特徴とするモバイル装置。
【請求項２】
前記第１のモード及び第２のモードはそれぞれ、第１及び第２のシステム選択プリファレンスを含み、前記第１及び第２のシステム選択プリファレンスのそれぞれは、複数の無線アクセス技術の間で選択するように構成された１つ以上のルールを含むことを特徴とする請求項１に記載のモバイル装置。
【請求項３】
前記第２のシステム選択プリファレンスは、前記第１のシステム選択プリファレンスのサブセットであることを特徴とする請求項２に記載のモバイル装置。
【請求項４】
前記第１のシステム選択プリファレンスは、移動通信用のグローバルシステム（ＧＳＭ）と、広帯域符号分割多元接続（ＷＣＤＭＡ）と、ロングタームエボリューション（ＬＴＥ）とを含み、前記第２のシステム選択プリファレンスは、ＧＳＭと、ＷＣＤＭＡとを含むことを特徴とする請求項３に記載のモバイル装置。
【請求項５】
前記第１のシステム選択プリファレンスは、移動通信用のグローバルシステム（ＧＳＭ）、エンハンスド・ハイレイト・パケットデータ（ｅＨＲＰＤ）及びロングタームエボリューション（ＬＴＥ）から成り、前記第２のシステム選択プリファレンスは、ＧＳＭ及びｅＨＲＰＤから成ることを特徴とする請求項３に記載のモバイル装置。
【請求項６】
前記プロセッサの前記動作状態は、電力モードを含むことを特徴とする請求項１に記載のモバイル装置。
【請求項７】
前記プロセッサの前記動作状態は、アドホックネットワークとの関連を含むことを特徴とする請求項１に記載のモバイル装置。
【請求項８】
前記アドホックネットワークは、無線ローカルエリアネットワーク（ＷＬＡＮ）を含むことを特徴とする請求項７に記載のモバイル装置。
【請求項９】
前記プロセッサの前記動作状態は、表示モードを含むことを特徴とする請求項１に記載のモバイル装置。
【請求項１０】
モバイル機器内の無線アクセス技術をインテリジェントに選択して動作させる方法であって、
１つ以上の無線インターフェースの第１の状態を評価することであって、前記１つ以上の無線インターフェースの少なくとも１つは複数の動作状態を含む、評価をすることと、
プロセッサに関連した１つ以上の動作状態の第２の状態を評価をすることと、
前記第１及び第２の状態と、機器電力消費を最適化するように構成された１組の動作ルールとに少なくとも部分的に基づいて、前記１つ以上の無線インターフェースの前記少なくとも１つに対する動作状態を選択することとを含むことを特徴とする方法。
【請求項１１】
前記１組の動作ルールは、複数の無線アクセス技術の中から選択するように構成された１つ以上のシステム選択プリファレンスを含むことを特徴とする請求項１０に記載の方法。
【請求項１２】
前記１つ以上の無線インターフェースは、複数のセルラーネットワークインターフェースと、第２のアドホックネットワークインターフェースとを含むことを特徴とする請求項１０に記載の方法。
【請求項１３】
前記複数のセルラーネットワークインターフェースは、少なくとも第１の音声専用のセルラーネットワークインターフェースと、第２のデータ専用のセルラーネットワークインターフェースとを含むことを特徴とする請求項１２に記載の方法。
【請求項１４】
プロセッサに関連した前記１つ以上の動作状態は、１つ以上の電力状態を含むことを特徴とする請求項１０に記載の方法。
【請求項１５】
前記１つ以上の電力状態は、少なくとも低電力モードと、通常動作モードとを含むことを特徴とする請求項１４に記載の方法。
【請求項１６】
無線装置であって、
複数のセルラー無線インターフェースと、
システム選択プリファレンスに従って前記複数のセルラー無線インターフェースの１つを自動的に選択するように構成される通信選択論理部と、
プロセッサと、
１つ以上の命令を備える非一時的コンピュータ可読装置とを備え、
前記備えられた非一時的コンピュータ可読装置は、
前記プロセッサにより実行されたとき、前記無線装置に、
前記プロセッサの動作状態を判断させ、
前記プロセッサが第１の動作状態であるとき、前記システム選択プリファレンスを第１の構成に設定させ、
それ以外のときは、前記システム選択プリファレンスを第２の構成に設定させるように構成され、
前記第１及び第２の構成は、異なるユーザ体感特性に関連することを特徴とする無線装置。
【請求項１７】
前記第１の構成は、低減された電力消費に関連することを特徴とする請求項１６に記載の装置。
【請求項１８】
前記第２の構成は、向上したデータリンク接続性に関連することを特徴とする請求項１７に記載の無線装置。
【請求項１９】
前記第１の構成は、前記第２の構成のサブセットであることを特徴とする請求項１８に記載の無線装置。
【請求項２０】
アドホックネットワークインターフェースを更に備え、
前記プロセッサは、前記システム選択プリファレンスが前記第１の構成に設定されたときにデータトランザクションに対して前記アドホックネットワークインターフェースを選択するように構成される請求項１９に記載の無線装置。
【請求項２１】
モバイル機器であって、
前記モバイル機器の１つ以上の無線インターフェースの第１の状態を評価する手段であって、前記１つ以上の無線インターフェースの少なくとも１つは、複数の動作状態を含む、手段と、
プロセッサに関連した１つ以上の動作状態の第２の状態を評価する手段と、
前記少なくとも１つの無線インターフェースに対して動作状態を選択する手段であって、前記選択は、前記第１及び第２の状態と、機器電力消費を最適化するように構成された少なくとも１つの動作ルールとに少なくとも部分的に基づく、手段とを備えることを特徴とするモバイル機器。
【請求項２２】
前記少なくとも１つの動作ルールは、複数の無線アクセス技術の中から選択するように構成される１つ以上のシステム選択プリファレンスを含むことを特徴とする請求項２１に記載のモバイル機器。
【請求項２３】
前記１つ以上の無線インターフェースは、少なくとも複数のセルラーネットワークインターフェースと、第２のアドホックネットワークインターフェースとを含むことを特徴とする請求項２１に記載のモバイル機器。
【発明の詳細な説明】
【技術分野】
【０００１】
優先権及び関連出願
本出願は、２０１２年２月１５日に出願された「ＭＥＴＨＯＤＳ  ＡＮＤ  ＡＰＰＡＲＡＴＵＳ  ＦＯＲ  ＩＮＴＥＬＬＩＧＥＮＴ  ＷＩＲＥＬＥＳＳ  ＴＥＣＨＮＯＬＯＧＹ  ＳＥＬＥＣＴＩＯＮ」という名称の米国特許仮出願第６１／５９９，３３８号、及び、２０１２年６月８日に出願された「ＭＥＴＨＯＤＳ  ＡＮＤ  ＡＰＰＡＲＡＴＵＳ  ＦＯＲ  ＩＮＴＥＬＬＩＧＥＮＴ  ＷＩＲＥＬＥＳＳ  ＴＥＣＨＮＯＬＯＧＹ  ＳＥＬＥＣＴＩＯＮ」という名称の米国特許出願第１３／４９２，４１３号の優先権を主張する、２０１３年２月１５日に本出願と同時に出願された「ＭＥＴＨＯＤＳ  ＡＮＤ  ＡＰＰＡＲＡＴＵＳ  ＦＯＲ  ＩＮＴＥＬＬＩＧＥＮＴ  ＷＩＲＥＬＥＳＳ  ＴＥＣＨＮＯＬＯＧＹ  ＳＥＬＥＣＴＩＯＮ」という名称の本出願と同一の出願人の同時係属中の米国特許出願第１３／７６８，５０８号の優先権を主張するものであり、上記のそれぞれは、参照により全体が本明細書に組み込まれる。
【０００２】
本開示は、全般的に、無線通信及びデータネットワークの分野に関する。更に詳しくは、１つの例示的な実施形態では、本開示は、例えば、主流の機器及びネットワーク動作状況に基づいて機器無線アクセス技術をインテリジェントに選択する方法及び装置を対象としている。
【背景技術】
【０００３】
関連技術の説明
電気通信において、複数のエアインターフェイス（例えば、２Ｇ／３Ｇ、ＬＴＥ／ＬＴＥ−Ａ）を有する機器は、無線ネットワークの効率を最大化しようとする。具体的には、セルラー機器は、最高速度を有する利用可能なネットワークを常に使用する。例えば、移動通信用のグローバルシステム（ＧＳＭ（登録商標））接続（２Ｇ）を有する機器は、可能なとき、ユニバーサル移動体通信システム（ＵＭＴＳ）接続（３Ｇ）に常にハンドオーバーする。この挙動により、確実に、有限のネットワークリソースが最も効率的に使用されるようになる。
【０００４】
ロングタームエボリューション（ＬＴＥ）、ＬＴＥアドバンスト（ＬＴＥ−Ａ）セルラー規格などの、最近の規格は非常に高いデータ転送速度を提供している。しかしながら、ＬＴＥ規格は、データだけであり、即ち、ＬＴＥは、生来、音声トラヒックを取り扱うものではない。端的に言うと、音声トラヒックは、時間遅延（レイテンシ）の影響を非常に受けやすい。データ専用の技術（例えば、ＬＴＥ、ＣＤＭＡ−１ＸＤＯなど）のほうが、はるかに速いデータ転送速度を提供するが、音声トラヒックをサポートするために必要とされるレイテンシ要件を保証することはできない。その結果として、具体的には音声通話を取り扱うために、多くのデータ専用の技術が、音声対応技術と組み合わされる。他の全てのときでは、データ専用の技術が使用され、その結果、全体的なネットワーク動作が少なくとも表面的には最適化される。しかしながら、通話セットアップ時間の場合、前出の手法は、最適とはいえるものではなく、データ専用の（例えば、ＬＴＥ）インターフェース上に「キャンプ中の」機器は、音声通話を設定する前に音声対応技術にハンドオーバーする必要があり、その結果、レイテンシが増大して機器での全体的なユーザ体感が低下するというのがその理由である。
【０００５】
更に、関連の当技術分野の当業者は、全体的な電力消費がモバイル機器消費者のユーザ体感に著しい影響を与え兼ねないことを認識するであろう。消費する電力が少ない機器ほど、長く動作するとともに長い待機時間を有することができ、したがって、いわゆる「バッテリ寿命」、「待機時間」、及び「通話時間」などのメトリックが、新しい機器を購入するときに消費者が検討する極めて重要な要素である。
【発明の概要】
【０００６】
本開示は、とりわけ、モバイル機器内の無線アクセス技術のインテリジェントな選択及び動作の改良形装置及び方法を提供する。
【０００７】
モバイル装置を開示する。一実施形態では、モバイル装置は、少なくとも第１のモード及び第２のモードで動作可能なセルラー無線送受信器と、セルラー無線送受信器と信号通信しているプロセッサと、プロセッサと通信している論理部を含む。１つの例示的な実施形態では、論理部は、プロセッサの動作状態を判断し、動作状態が第１の動作状態であるとき、第１のモードでセルラー無線送受信器を動作させ、それ以外のときは、第２のモードでセルラー無線送受信器を動作させるように構成される。
【０００８】
１つの変形例では、第１のモード及び第２のモードは、それぞれ、第１及び第２のシステム選択プリファレンスを含み、第１及び第２のシステム選択プリファレンスのそれぞれは、複数の無線アクセス技術の中から選択するように構成された１つ以上のルールを含む。１つのそのような実施例では、第２のシステム選択プリファレンスは、第１のシステム選択プリファレンスのサブセットである。例えば、１つの場合では、第１のシステム選択プリファレンスは、移動通信用のグローバルシステム（ＧＳＭ）と、広帯域符号分割多元接続（ＷＣＤＭＡ（登録商標））と、ロングタームエボリューション（ＬＴＥ）と、を含み、第２のシステム選択プリファレンスは、ＧＳＭと、ＷＣＤＭＡとを含む。別のそのような実施例では、第１のシステム選択プリファレンスは、移動通信用のグローバルシステム（ＧＳＭ）、エンハンスド・ハイレイト・パケットデータ（ｅＨＲＰＤ）及びロングタームエボリューション（ＬＴＥ）から成り、第２のシステム選択プリファレンスは、ＧＳＭ及びｅＨＲＰＤから成る。
【０００９】
一部の変形例では、プロセッサの動作状態は、電力モードを含む。あるいは、プロセッサの動作状態は、アドホックネットワークとの関連に基づくことができる。１つのそのような変形例では、アドホックネットワークは、無線ローカルエリアネットワーク（ＷＬＡＮ）である。
【００１０】
更に他の実施形態では、プロセッサの動作状態は、表示モードを含む。
【００１１】
モバイル機器内の無線アクセス技術をインテリジェントに選択して動作させる方法を開示する。一実施形態では、この方法は、１つ以上の無線インターフェースの第１の状態を評価することであって、１つ以上の無線インターフェースの少なくとも１つは、複数の動作状態を含む、評価することと、プロセッサに関連した１つ以上の動作状態の第２の状態を評価することと、第１及び第２の状態と、機器電力消費を最適化するように構成された１組の動作ルールとに少なくとも部分的に基づいて、１つ以上の無線インターフェースの少なくとも１つに対して動作状態を選択することと、を含む。
【００１２】
１つの変形例では、この１組の動作ルールは、複数の無線アクセス技術の中から選択するように構成された１つ以上のシステム選択プリファレンスを含む。
【００１３】
他の変形例では、１つ以上の無線インターフェースは、複数のセルラーネットワークインターフェースと、第２のアドホックネットワークインターフェースとを含む。１つのそのような例示的な事例では、複数のセルラーネットワークインターフェースは、少なくとも第１の音声専用のセルラーネットワークインターフェースと、第２のデータ専用のセルラーネットワークインターフェースとを含む。
【００１４】
更に他の変形例では、プロセッサに関連した１つ以上の動作状態は、１つ以上の電力状態を含む。例えば、１つ以上の電力状態は、少なくとも低電力モードと、通常動作モードとを含むことができる。
【００１５】
無線装置も開示する。一実施形態では、モバイル装置は、複数のセルラー無線インターフェースと、システム選択プリファレンスに従って複数のセルラー無線インターフェースの１つを自動的に選択するように構成された通信選択論理部と、プロセッサと、１つ以上の命令を含む非一時的コンピュータ可読装置と、を含む。１つの例示的な実施形態では、命令は、プロセッサにより実行されたとき、プロセッサに、プロセッサの動作状態を判断させ、プロセッサが第１の動作状態であるとき、システム選択プリファレンスを第１の構成に設定させ、それ以外のときは、システム選択プリファレンスを第２の構成に設定させるように構成される。１つの変形例では、第１及び第２の構成は、異なるユーザ体感特性に関連する。
【００１６】
上記の別の変形例では、第１の構成は電力消費低減に関連し、第２の構成は改良データリンク接続性に関連する。更に別の例示的な変形例では、第１の構成は第２の構成のサブセットである。無線装置は、アドホックネットワークインターフェースを更に含むことができ、プロセッサは、システム選択プリファレンスが第１の構成に設定されたときにデータトランザクションのためにアドホックネットワークインターフェースを選択するように構成される。
【００１７】
非一時的コンピュータ可読媒体を更に開示する。一実施形態では、非一時的コンピュータ可読媒体は、１つ以上の無線インターフェース（そのうちの少なくとも１つは複数の動作状態を含む）の第１の状態を評価し、プロセッサに関連した１つ以上の動作状態の第２の状態を評価し、第１及び第２の状態と、機器電力消費を最適化するように構成された１組の動作ルールとに少なくとも部分的に基づいて、１つ以上の無線インターフェースの少なくとも１つに対して動作状態を選択するように、構成された命令を含む。
【００１８】
基地局装置を更に開示する。一実施形態では、基地局装置は、モバイル機器内の無線アクセス技術のインテリジェントな選択及び動作を容易にするように構成される。
【００１９】
アドホックネットワーク装置も開示する。一実施形態では、アドホックネットワーク装置は、モバイル機器内の無線アクセス技術のインテリジェントな選択及び動作を容易にするように構成される。
【００２０】
本開示の他の特徴及び有利性は、添付図面、及び以下に記載されるような例示的実施形態の詳細な説明を参照することで、当業者によって即座に認識されるであろう。
【００２１】
全ての図は、２０１２年から２０１３年に作成され、その全ての著作権はＡｐｐｌｅ  Ｉｎｃ．が保持している。
【図面の簡単な説明】
【００２２】
【図１】本開示に係る、モバイル機器の無線アクセス技術を選択的に動作させる全般的な方法の一実施形態を示す論理的流れ図である。
【図２】本開示の様々な実施形態と共に有用な１つの例示的なロングタームエボリューション（ＬＴＥ）セルラーネットワークを例示する論理ブロック図である。
【図３】図２のＬＴＥ／ＬＴＥ−Ａネットワークのコンテキストにおける図１の全般的な方法の１つの例示的な実施例を示す論理的流れ図である。
【図４】本開示に係る、移動無線ユーザ機器の一実施形態を示す機能ブロック図である。
【発明を実施するための形態】
【００２３】
ここで図面を参照するが、全体を通して、同様の番号は同様の部分を指す。
【００２４】
概要−
例えば、電力最適化及び／又は高度な通話セットアップなどのために、（無線アクセス技術、即ちＲＡＴとしても知られる）モバイル無線機器の１つ以上のエアインターフェイスをインテリジェントに選択及び動作させる方法及び装置を開示する。一実施形態では、ユーザ体感に悪影響を与えることなく機器内の電力消費を最小限に抑えるように、高速セルラーデータインターフェースの動作を選択的に調節するか、又は、必要とされないときにはディスエーブルする。一実施例では、無線機器は、ＬＴＥ／ＬＴＥ−Ａ高速セルラーインターフェースと、より低速の２Ｇ又は３Ｇセルラーインターフェースと、ＷＬＡＮ（例えば、Ｗｉ−Ｆｉ（登録商標））インターフェースと、を含む。ＷＬＡＮインターフェースの状態及び機器表示のモードなどの他の動作考慮事項に応じて、そのインターフェースによる不必要な電力消費を軽減するように、高速インターフェースを、その能力が必要とされないときには選択的にディスエーブルする。
【００２５】
１つの変形例では、無線アクセス技術の選択を、ホストセルラー又はＷＬＡＮネットワークからの助けなしにモバイル機器が独立して行う。別の変形例では、ネットワークの１つ以上が、選択プロセスに参加する。
【００２６】
本開示の様々な実施形態により、特定のシナリオにおける音声通話（例えば、回線交換フォールバックつまりＣＦＳＢ）セットアップ時間も改善される。既存のモバイル機器は、使用しないときにＬＴＥ／ＬＴＥ−Ａ上でキャンプ中に留まるように構成され、これにより、音声通話の通話セットアップ時間が非常に長くなる（即ち、モバイル機器は、ＬＴＥがデータ専用の技術であるので、音声対応技術にハンドオーバーしなければならない）。したがって、後述するように、モバイル機器は、データ操作についてはＷＬＡＮインターフェースに接続することができるが、音声データについては音声対応ネットワーク上でキャンプ中のままである。音声対応ネットワーク上でキャンプすることにより、モバイル機器は、データサービスの必須のレベルをなお維持しながら音声通話を素早く開始することができる。
【００２７】
例示的実施形態の説明
本開示の例示的実施形態を、ここで詳細に説明する。これらの実施形態を、主として第２世代（２Ｇ）及び第３世代（３Ｇ）ユニバーサル移動体通信システム（ＵＭＴＳ）無線ネットワーク、ロングタームエボリューション（ＬＴＥ／ＬＴＥ−Ａ）第４世代（４Ｇ）無線ネットワーク及びＩＥＥＥ規格８０２．１１準拠のものなどのＷＬＡＮを含むがこれに限定されない、セルラーネットワークというコンテキストで論じるが、本開示はその限りではないことが当業者により認識されるであろう。
【００２８】
実は、本明細書で説明する様々な実施形態は、本明細書で説明するように、エアインターフェイス若しくはＲＡＴの選択及び動作のインテリジェント管理から恩恵を受けることができる任意の無線ネットワーク（又はその組み合わせ）において有用であり、かつ、容易に適合される。
【００２９】
方法−
図１は、本開示に係る、無線モバイル機器内のＲＡＴを選択及び管理する全般的な方法１００の一実施形態を例示する。
【００３０】
図１に示すように、方法１００は、代替高速データリンクの状態をセルラーデータインターフェースの状態に対して評価する（ステップ１０２）ことにより開始する。一実施形態では、代替リンクは、モバイル機器のアドホックＷＬＡＮ（例えば、Ｗｉ−Ｆｉ）インターフェースであり、１次（セルラー）リンクは、ＬＴＥインターフェースである。
【００３１】
関連の当技術分野の当業者は、実際上任意の数の無線インターフェースを評価することができることを容易に理解するであろう。無線インターフェースの一般的な例としては、例えば、セルラーネットワーク技術、無線ローカルエリアネットワーク（ＷＬＡＮ）技術、パーソナルエリアネットワーク（ＰＡＮ）技術、メトロポリタンエリアネットワーク（ＭＡＮ）、ピアツーピア技術、アドホックネットワーク技術などがある。
【００３２】
他の実施形態では、他の動作パラメータを考慮することができる。そのようなパラメータの一般的な実施例としては、例えば、電力消費モード、表示モード、プロセッサアクティビティ、ソフトウェアアプリケーション要件、ユーザプリファレンス、ネットワークプリファレンスなどを挙げることができる。
【００３３】
例えば、１つの例示的な場合では、ステップ１０２によってＷＬＡＮインターフェースが利用可能であり動作中である（以下で更に詳細に論じる）と判断された場合、この方法はステップ１０４に進み、１つ以上の動作パラメータの状態を評価する。一実施例では、これらの他の動作パラメータとしては、モバイルユーザ機器の表示デバイス（例えば、タッチスクリーンデバイス）の状態、及び機器内の任意のバックグラウンドのデータ転送又は動作の存在などが挙げられる。ディスプレイは使用中ではなく、進行中のバックグラウンドデータ転送がないと仮定して、その後、この方法は、ステップ１０６に進み、セルラーデータインターフェースを一時的にディスエーブルし、その代わりに、高速代替データリンクに置き換える。更に、一部の実施形態では、機器は、先制して音声対応セルラー接続にハンドオーバーしてもよい（ステップ１０８）。
【００３４】
特定の実施形態では、セルラーインターフェースをディスエーブルすることは、明示的にすることができる。セルラーインターフェースをディスエーブルする明示的な方式は、現在のセルラーインターフェースを強制的にクローズする。例えば、機器は、現在のデータセッションを明示的にクローズすることができ、及び／又はセッションを高速代替データリンクに移行することができる。１つの例示的な実施形態では、機器は、ＬＴＥ接続上で行われるデータセッションをＷｉ−Ｆｉ接続に移行させる。相互運用の度合いに応じて、ＬＴＥからＷｉ−Ｆｉへのこの切り替え（又は、ハンドオーバー）は、密結合されてもよいし（例えば、２つのネットワーク技術は、接続／セッション情報を伝達することができ、以下では「ＩＰ継続性」ともいう）、又は、疎結合されてもよい（例えば、２つのネットワーク技術は、接続／セッション情報を通信しないで、切り替えは機器内のメカニズム（例えば、バッファリングなど）で実行される）。
【００３５】
代替実施形態では、ディスエーブルすることは、暗黙的にすることができる。暗黙的方式では、セルラーインターフェースは次善の機会にディスエーブルされる。換言すると、一時的休止、終了などがない限り、現在のセッションはクローズされない。他の実施例では、機器はその選択動作を変えることができる。
【００３６】
１つの例示的な実施形態では、機器は、内部システム選択プリファレンス（ＳＳＰ）を調整する。端的に言えば、既存のＳＳＰ実施例は、利用可能である最高速度の無線アクセス技術を選択するように構成され、例えば、利用可能性に基づいて、ＧＳＭ、ＷＣＤＭＡとＬＴＥ（ＧＷＬ）との間で遷移するようにＳＳＰを構成することができる。例えば、ＬＴＥを除外するようにＳＳＰを調整することにより、本開示の様々な実施形態は、その代わりに代替インターフェース（例えば、ＷＬＡＮ）に頼ることができる。そのような調整は、既存のＬＴＥセッションに影響を与えるものではなく、ＬＴＥセッションがクローズされると、機器は、別のＬＴＥ接続を開始したりはしない。
【００３７】
図１を再び参照すると、ステップ１０４の上述したチェックをパスしない（例えば、ディスプレイはアクティブであり、バックグラウンドデータ転送はない、など）場合、この方法は、ステップ１１０に進み、ステップ１０２にてこの方法に再び入る前に、待機期間が開始される（あるいは、ＷＬＡＮが最近状態を変えたことを示すＷＬＡＮ接続に関連したアクティビティ、又は、更に別の代案として、ディスプレイがスリープつまり非アクティブモードに入ったなどの、イベントによりトリガされるまで、この方法は待ち状態に置かれる）。
【００３８】
方法１００に再び入るために、任意の数の異なる論理的シナリオ又は基準を本開示に合うように採用することができることが上記から理解されるであろう。
【００３９】
１つの例示的な実施形態では、前出の判断を正規のリンク評価の一環として実行する。一部の変形例では、リンク評価を周期的に実行することができる。他の一般的な実施形態では、リンク評価は非周期的に実行することができる。一般的な非周期的方式の例としては、日和見的に、イベントトリガで、ユーザトリガで、アプリケーショントリガで行なうことなどを含むが、それに限定されない。
【００４０】
更に、関連した当技術分野内の当業者は、本開示の様々な実施形態を様々なユーザプリファレンスに従って選択的に調整することができることを容易に認識するであろう。例えば、ユーザは、電力消費を低減する／パフォーマンスを向上するために、上述した方法をイネーブル又はディスエーブルすることができる。他の場合では、ユーザは、特定の使用習慣に従って論理を微調整することができる。例えば、この方式は、特定の場所（家庭、会社）の周辺でイネーブル／ディスエーブルし、及び／又は特定の時間（例えば、勤務時間、オフピーク時間帯など）についてイネーブル／ディスエーブルすることができる。他の実施形態では、ユーザは、実行中のソフトウェアアプリケーション（例えば、ゲームアプリケーションなど）に基づいて、方式をイネーブル／ディスエーブルすることができる。
【００４１】
本開示の内容を考慮に入れると、更に他の変形例が容易に認識されるであろう。
【００４２】
例示的動作−
以下の説明では、各々がセルサイト又は基地局（ＢＳ）として知られる送信局によってサービスが提供される無線セルのネットワークを含む例示的なセルラー無線方式について説明する。この無線ネットワークは、複数のユーザ装置（ＵＥ）送受信機に、無線通信サービスを提供する。協調して機能するＢＳのネットワークは、単一のサービングＢＳによって提供される無線カバレッジよりも大きい、無線サービスを可能にする。個々のネットワークは、コアネットワークに接続され、このコアネットワークは、リソース管理のための、また一部の場合には、他のネットワークシステム（インターネット、他のセルラーネットワークなど）へのアクセスのための、追加的なコントローラを含む。
【００４３】
図２は、幾つかの基地局（ＢＳ）２２０によって提供される無線アクセスネットワーク（ＲＡＮ）の有効範囲内で動作しているユーザ装置（ＵＥ）２１０を有する、１つの例示的なロングタームエボリューション（ＬＴＥ）セルラーネットワーク２００を示す。ＬＴＥ基地局は、一般に、「発展型ノードＢ（Evolved NodeB）」（ｅＮＢ）と称される。無線アクセスネットワーク（ＲＡＮ）は、無線ネットワークコントローラ（ＲＮＣ）を伴うｅＮＢの集合体である。ユーザは、ＵＥを介してＲＡＮにインターフェースするが、このＵＥは、多くの典型的な使用例では、セルラー電話又はスマートフォンである。しかし、本明細書で使用するとき、「ＵＥ」、「クライアント機器」、及び「ユーザ機器」という用語には、セルラー電話機、スマートフォン（例えば、本出願の譲受人によって製造されるｉＰｈｏｎｅ（商標）など）、パーソナルコンピュータ（ＰＣ）、デスクトップ、ラップトップ、ないしはその他の種類のミニコンピュータ、並びにハンドヘルドコンピュータ、ＰＤＡ、パーソナルメディア装置（ＰＭＤ）などのモバイル機器、又はこれらの任意の組み合わせが挙げられるが、これらに限定されない。
【００４４】
ｅＮＢ  ２２０のそれぞれは、例えば、ブロードバンドアクセスを介して、コアネットワーク２３０に直接繋がれる。更には、一部のネットワーク内では、それらのｅＮＢは、二次アクセスを介して互いに協調することができる。コアネットワークは、ルーティング能力及びサービス能力の双方を提供する。例えば、第１のｅＮＢに接続された第１のＵＥは、コアネットワークを通じたルーティングを介して、第２のｅＮＢに接続された第２のＵＥと通信することができる。同様に、ＵＥは、コアネットワークを介して、他のタイプのサービス、例えば、インターネットにアクセスすることができる。
【００４５】
図３をここで参照して、方法１００（本明細書では図１に示す）の１つの特定の変形例を図２の上述したＬＴＥネットワークの例示的なコンテキストにおいて説明する。具体的には、この場合、高速セルラーインターフェース（例えば、ＬＴＥ又はＬＴＥ−Ａ）が一時的にディスエーブルされ、機器は、以下の状態、即ち、（ｉ）Ｗｉ−Ｆｉアクセスポイント（ＡＰ）とのアクティブな関連が存在し（ステップ３０２）、インターネットが到達可能である（ステップ３０４）、（ｉｉ）モバイル機器ディスプレイはオフであり（利用されていない）（３０６）、アクティブなデータ転送がバックグラウンドで行われている、及び／又は、（ｉｉｉ）ブランケットターンオフ又は他の動作オーバーライドが、ＬＴＥ／ＬＴＥ−Ａインターフェースに対してアサートされる（所定の時間周期中など）、の１つにおいてモバイルＵＥの有する在来の３Ｇインターフェース上で「キャンプする」。
【００４６】
１つの特定の実施例では、Ｗｉ−Ｆｉ  ＡＰとのアクティブな関連は、安定性閾値（すなわち、関連が存在した時間の最小長さ）を最小限超えなければならない（ある種のヒステリシスを提供するためであり、とりわけ、「ＬＴＥインターフェースがディスエーブルされ、Ｗｉ−Ｆｉ関連はその後、確立された通信が廃止される、又は使用不能になり、したがって、ＬＴＥインターフェースが再確立されなければならない」、という「ピンポン」効果を回避するためである）。
【００４７】
更に、先に参照したように、モバイル機器が実際にＷＬＡＮ関連を介してインターネットにアクセスできることを確実にするために、インターネットの利用可能性又は「到達可能性」が評価されてもよい。到達可能性は、１つ以上のＩＰアドレスをプロービングしたり、公知のドメインに登録したり、などの、任意の数の異なる方法で試験することができる。例えば、モバイル機器に、コアネットワークがそれに応じてデータを送ることができる（即ち、モバイル機器のプッシュしたデータをＩＰアドレスを介して送ることができる）ように、そのＩＰアドレスをコアネットワークに示すように要求することができる。
【００４８】
更に、受信されたＷｉ−Ｆｉ信号強度及び／又は他のチャネルパラメータを評価することができる。１つのそのような方式では、曖昧な、決定論的な、又は、その他の変数（例えば、「良好」、「中程度」、「不良」閾値又は基準）が指定され、これらの閾値は、例えば、グラフィカルユーザインターフェース（ＧＵＩ）を介して、又は、モバイル機器内に存在する論理部を介して、ユーザ構成可能又は機器構成可能とすることもできる。例えば、一実施例では、Ｗｉ−Ｆｉ信号強度（例えば、測定されたＷｉ−Ｆｉビーコンの受信信号強度表示（ＲＳＳＩ））値が、所定の期間（例えば、Ｇ＿Ｔｉｍｅｒ）指定された閾値（「良好」）を上回ると、Ｗｉ−Ｆｉインターフェースがイネーブルされる。同様に、ＲＳＳＩ値が、別の期間（例えば、Ｍ＿ｔｉｍｅｒ）に別の指定された閾値（「中程度」）を下回ると、ＬＴＥリンクがイネーブルされる。モバイル機器は、適切なタイマー及び閾値を調整することにより、Ｗｉ−Ｆｉ  ＡＰと簡単に（短い期間の低ＲＳＳＩ「良好」閾値）関連付けることができたり、又は、非常に良好な受信状態の間のみ（長い期間の高ＲＳＳＩ「良好」閾値）接続したりすることができ、かつ、頻繁に（高ＲＳＳＩ「中程度」閾値）切り替わったり、又は少ない頻度で（低ＲＳＳＩ「中程度」閾値）切り換わったりすることができる。
【００４９】
更に、ディスプレイアクティビティやバックグラウンドデータ転送に関しては、ＬＴＥインターフェースがディスエーブルされる前には、ディスプレイが所定の時間にわたってオフでなければならない、かつ／又は、データ転送が一定の期間にわたって止まっていなければならない、というような、ヒステリシスが同様に適用されてもよい。
【００５０】
前出の「ヒステリシス」機能は、機器の論理状態がＬＴＥ有効モードとＬＴＥ無効モードとの間で行ったり来たり「ジャンプする」ことから生じるユーザ体感への悪影響を緩和するのに有効であるが、時間以外の基準に基づいて（又は時間的な判断と組み合わせて）適用することもできる。例えば、ヒステリシスは、イベント駆動型とすることができる。例えば、先述したＬＴＥディスエーブル論理を開始することを許可する基準として、特定の状態に入った後のイベントの発生を使用することができる。１つのそのような実施例では、Ｗｉ−ＦｉインターフェースがＡＰに関連していることが確認されると、ＬＴＥイネーブル／ディスエーブル論理のために、Ｗｉ−Ｆｉインターフェースが「アクティブである」とみなす前に、Ｗｉ−Ｆｉインターフェースに一定量のデータを（又は、ある一定の速度にて）送信又は受信するように要求することができる。別の実施例として、ＬＴＥディスエーブル機能がイネーブルされる前に、所定の数のプローブを送信して応答を得ることに成功しなければならない。更に別の実施例として、論理がイネーブルされる前に、機器内の加速度計（備えている場合）が、機器の動きなし（それによって機器とのユーザの相互作用なしを明示的に示す）、又は、（例えば、ユーザがバッグ又はポケットの中に機器を入れて歩いている状態に一致した）所定の運動のパターンを示さなければならない。
【００５１】
モバイル機器の動作又は使用の他の実施例も考慮することができることも理解されるであろう。例えば、１つの代替実施例では、内部的に又は外部的に生成された「キープアウェイク」、又は、（例えば、モバイル機器内の他の監視論理部から、又は、ホストＬＴＥネットワークインフラからの）他の信号又はメッセージの有無が、ＬＴＥインターフェースをディスエーブルするべきかどうか判断する際に考慮される。そのような場合の１つとして、コアネットワークは、いわゆるＮＳＥＴ信号に基づいてモバイル機器を特定の技術に指示することができる。例えば、コアネットワークは、ＬＴＥネットワークが存在し得る場合でさえも、ＵＥを強制的にＵＭＴＳネットワーク上でキャンプさせることができる。
【００５２】
更に、上記の方式の様々な変更例は、シグナリング負荷、ＲＡＴ切り替えのためのレイテンシ、ＩＰ継続性（即ち、切換プロセス中、機器は継続的なＩＰアクセスを有することができない）などを含むがこれに限定されない、広範囲にわたる考慮事項を実施することができることが更に理解される。本記載の論理又は「インテリジェンス」を実施する際の他の要因又は考慮事項としては、例えば、（ｉ）モバイル機器が有線又は無線バッテリ充電器など、外部電源に接続されているかどうか、（ｉｉ）いつ２Ｇ又は３Ｇが存在しないのか（それによって、事実上、機器にＬＴＥの代替が与えられない）、（ｉｉｉ）いつ３Ｇは存在しないで、２Ｇは利用可能であるか（あるいは、その逆）、（ｉｖ）いつ２Ｇ／３Ｇシステムが「ローミング」中であるか（ローミング加入者コストが考慮されてもよい）、（ｖ）モバイル機器ＧＵＩ上での信号強度表示（例えば、シグナルバー）及び技術インジケータ（バナー）の存在又は利用可能性があるが、これに限定されない。
【００５３】
上記で述べた説明では、特定のファミリーの相互関係にある技術（例えば、移動通信用のグローバルシステム（ＧＳＭ）（２Ｇ）、広帯域符号分割多元接続（ＷＣＤＭＡ）（３Ｇ）、ロングタームエボリューション（ＬＴＥ）（４Ｇ））について説明したが、本明細書記載の様々な原理は、例えば、ＣＤＭＡ  １ｘ、ＣＤＭＡ  １ＸＥＶ−ＤＯ、ＬＴＥ；ＧＳＭ、エンハンスド・ハイレイト・パケットデータ（ｅＨＲＰＤ）及びＬＴＥ（ＧＨＬ）、ＷｉＭＡＸ（登録商標）（８０２．１６）などの他の技術ファミリーに等しく適用可能であることが更に理解される。
【００５４】
更に、上記の技術ファミリーはもっともらしい実施例である一方で、技術間の上述した関係は、単に付帯的でその実践に必要とされるものではないことに更に注意されたい。
【００５５】
更に、特定の動作コンテキストでは、ＩＰ継続性は、機器がＲＡＴ間で遷移する間さえも維持することができ、例えば、ＩＰ継続性は、（ｉ）ＧＳＭ、ＷＣＤＭＡ及びＬＴＥ（ＧＷＬ）、及び、（ｉｉ）ＧＳＭ、ｅＨＲＰＤ、及びＬＴＥ（ＧＨＬ）に対して維持することができることが理解される。具体的には、コアネットワークは、基盤となるＲＡＴが変化している場合でさえも、確実に、ＩＰトランザクションが中断されないようにすることができる。
【００５６】
１つの顕著な実施例では、無線アクセス技術ＲＡＴは、モバイル機器内の電力消費、及び、したがって、電池性能（待機時間を含む）を最適化するように、モバイル機器（又は、代替実施形態では、ネットワークエンティティ）によりインテリジェントに選択される（ステップ３０８）。現在のＬＴＥ機器は、高速データ転送に必要とされないとき（例えば、Ｗｉ−Ｆｉなどの代替データネットワークが利用可能であるとき）でさえも、利用ネットワークに接続されたベースバンドを実質的に常に維持することにより、かなりの量の電力を消費する。
【００５７】
例えば、ＧＳＭ、ＷＣＤＭＡ、ＬＴＥ（短縮化されたＧＷＬ）、又は、ＧＳＭ、ｅＨＲＰＤ、ＬＴＥ（短縮化されたＧＨＬ）のシステム選択プリファレンス（ＳＳＰ）を自動的に実行する機器を検討してみよう。動作中、機器は、ネットワークオペレータがその他の方法で指定しない限り（ネットワークオペレータが利用可能なＲＡＴの１つ以上を制御する場合）、機器が利用可能な最高速度のＲＡＴを選択する。したがって、ＧＷＬ機器は、ＬＴＥネットワークが利用可能な場合、ＬＴＥネットワーク上で自動的にキャンプする。残念ながら、アプリケーションプロセッサがスリープ中である間、セルラーベースバンドプロセッサは、たとえデータ接続が休止中か又は切断されているとしてもホストＬＴＥネットワークにまだ登録されている場合がある。更に、機器がＬＴＥネットワーク上でまだ「キャンプ中」であることから、ＬＴＥモデムは、測定などを実行するために定期的にスリープ解除しなければならない。この定期的なスリープ解除は、モバイル機器において相当量の電力を消費する。最後に、ＬＴＥはデータ専用の技術であるため、（受信又は発信された）任意の音声通話は、モバイル機器によって、音声対応ネットワークにハンドオーバーすることが必要である。
【００５８】
現在のところ、機器ユーザは、（例えば「ＬＴＥを有効にする」スイッチを介した）ＬＴＥ  ＳＳＰの大雑把な制御を有するのみであるが、これは、本質的に「全部かゼロか」の判断であり、無数の異なる動作状況又はシナリオに対応するものではない。したがって、ユーザが電力消費及びＬＴＥリンク利用可能性を増大させることを積極的に選択しなければならず、機器が自発的にこれを実行することはできない。したがって、本開示の１つの例示的な実施形態では、高速データ転送（例えば、ＬＴＥエアインターフェイスの使用を必要とすると思われるデータ転送速度）が必要でないときに、又は、代わりにそのような高いデータ転送速度が別のエアインターフェイス（例えばモバイル機器のＷｉ−Ｆｉ又はＷｉＭＡＸインターフェース）上で達成可能なときにＬＴＥインターフェースをディスエーブルする（ステップ３１０）。
【００５９】
一実施形態では、監視プロセス（例えば、「通信センター」論理部）は、ユーザ体感又は他の動作特性を大きく損なうことなく、機器電力消費を最適化するように設計された動作ルールの所定の組に従ってシステム選択プリファレンスを変える。例えば、一実施形態では、システム選択論理部は、（ｉ）アプリケーションプロセッサがアウェイク状態であり、Ｗｉ−Ｆｉが１次ネットワークルートであるとき、及び、（ｉｉ）アプリケーションプロセッサが低電力にモードに入る前であるとき、を含むいくつかの異なる動作シナリオの下で修正される。１つのそのような実施形態では、監視プロセスは、（ｉ）モバイル機器のディスプレイが低電力モードを出た後にロック解除されている、及び／又は、（ｉｉ）Ｗｉ−Ｆｉアクセスポイントとの関連が何らかの理由で失われている、場合などに、システム選択プリファレンス（ＳＳＰ）を更に更新してＬＴＥインターフェース動作を可能にすることができる。
【００６０】
ＷＬＡＮ／セルラーの共存
現在のところ、Ｗｉ−Ｆｉがモバイル機器上の１次ネットワークルートであるとき、機器のベースバンドは、セルラーネットワークに対して「データ接続」状態で動作する。具体的には、インターフェースを必要とするサービス（例えば、いわゆる「プッシュ型」サービス）がアクティブである（又は、特定の通信事業者／サービスプロバイダのために命じられている）場合、セルラーデータ接続は、データアサーションの間中アクティブに保たれる。具体的には、システム選択プリファレンス（ＳＳＰ）は、ＬＴＥなど、リンク維持のために相当量の電力を消費する可能性のある最高のデータ対応ネットワークを選択する。
【００６１】
しかしながら、ユーザがデータ接続を積極的に使用しないとき、低スループットのトラヒックのみが使用される（例えば、プッシュ配信通知）。その結果として、現在のモバイル機器はＬＴＥ内に留まり、データ転送速度は相対的に低いにもかかわらず、電力消費は（代替ＲＡＴよりも）かなり高くなる。これとは対照的に、本開示の様々な実施形態は、機器の所要のスループットに対応するために低いデータ転送速度に限定される技術（レガシー２Ｇ／３Ｇセルラーシステムにより提供されるものなど）を使用することができ、一方、機器には、高いデータ転送速度の動作のためにＷｉ−Ｆｉインターフェースが利用可能である。
【００６２】
したがって、本開示の様々な実施形態の下では、モバイル機器がＷＬＡＮアクセスポイント又はノード（例えば、Ｗｉ−Ｆｉ  ＡＰ）と関連付けられ、接続性の所望のレベルが利用可能であることが確認された（例えば、ネットワークプローブ又は他のそのようなメカニズムによって確認されたように、インターネットへのアクセスが本当に到達可能である）後、システム選択プリファレンス（ＳＳＰ）は、比較的高い消費の高速セルラーインターフェースをディスエーブルするように設定される（例えば、ＳＳＰは、ＧＷ又はＧＨに設定され、したがって、ＬＴＥが除去される）。
【００６３】
一実施形では、機器論理部は、定期的に又は連続的に、（上述したプローブ技術を使用してなど）ＷＬＡＮインターフェースの利用可能性を監視する。ＷＬＡＮインターフェースの利用可能性が失われた（又は、インターネットはもはや到達可能ではない）とき、機器論理部は、ＳＳＰを変えて、高速セルラーリンクを再イネーブルする（例えば、ＧＷＬ又はＧＨＬとであり、したがって、ＬＴＥが追加される）。
【００６４】
本開示の１つの例示的な実施形態では、監視エンティティ（例えば「通信センター」つまり「ＣｏｍｍＣｅｎｔｅｒ」）が、低電力モード（ＬＰＭ）開始／終了、及び、表示の遷移（例えば、表示部品の電源オン又はオフ）を監視する。１つの変形例では、監視エンティティは、アプリケーションプロセッサがスリープ状態である間、ベースバンドプロセッサのアクティビティを制限し（例えば、必須ではない通知についてはスリープ解除機能性を低減又はディスエーブルし）、更に、使用中のシステム指示（例えば、コアネットワークから受信された通知）は、アプリケーションプロセッサを自動的にはスリープ解除しない。
【００６５】
本開示の一実施形態では、低電力モード（ＬＰＭ）に入るアプリケーションプロセッサは、より低電力のセルラーモード（例えば、３Ｇ）に設定されるようにＳＳＰプリファレンスをトリガする。１つのそのような変形例では、ＳＳＰプリファレンスの変更は、いわゆる「休止状態」要求を妨げるものではない。具体的には、休止状態は、物理リンクなしでネットワークへの論理的パケット交換（ＰＳ）サービスを可能にし（物理リンクはネットワークリソースを節減するためにネットワークにより削除されるが、機器は、それでも、あたかもデータ接続があるかのように機器状態を維持し）、その結果として、物理リンクの再確立を、新しくセッションを開始する場合よりはるかに速く行うことができる。その上、１つの変形例ではアプリケーションプロセッサは、必須ではないスリープ解除イベントを無視するように更に構成される。例えば、アプリケーションプロセッサはＬＰＭである間、稼働中のシステムシグナリング（例えば、ＱＭＩ＿ＮＡＳ＿ＳＥＲＶＩＮＧ＿ＳＹＳＴＥＭ＿ＩＮＤ）を無視するように構成することができる。
【００６６】
様々な実施形態では、低電力モード（ＬＰＭ）を終了するアプリケーションプロセッサは、必ずしも高速データ動作を可能にするためにＳＳＰをリセットする（例えば、ＬＴＥを再イネーブルする）必要があるというわけではない。例えば、機器表示が決してオンにならない場合、低スループットデータのみが必要とされる可能性がある。同様に、ディスプレイが決してロック解除されない場合、高速データ要求を行わない可能性が非常に高い（特定のリアルタイムデータアプリケーション（例えば、ビデオ通話など）は例外となり得る）。最後に、機器がＷｉ−Ｆｉアクセスポイントに関連付いている場合、高速データサービスをセルラーデータインターフェースで提供する必要がないことが更に理解される。
【００６７】
最後に、（ｉ）アプリケーションプロセッサがスリープ解除される、（ｉｉ）画面がロック解除又は電源オンされる、及び／又は（ｉｉｉ）Ｗｉ−Ｆｉ能力を喪失する、ことに応答して、監視エンティティは、高速データ能力を提供するために高速データサービスを含める（ＬＴＥを再イネーブルする）ようにＳＳＰを元の状態に戻すことができる。更に、特定の状態ではＳＳＰの変更を必ずしも必要としない場合があることが更に認識されよう。例えば、機器がスリープ解除されて画面ロック解除は単にモバイル機器音声通話を受理するためであった場合、ＳＳＰルールをそのままとすることができる。例えば、監視エンティティは、ＳＳＰを変える前に使用法（例えば、音声通話）を更に評価することができる。
【００６８】
装置−
図４をここで参照すると、例えば、主流の機器及びネットワーク動作状況に基づいて機器無線アクセス技術をうまく選択する例示的なユーザ機器４００が例示されている。本明細書で使用するとき、用語「ユーザ機器」は、セルラー電話、スマートフォン（例えば、ｉＰｈｏｎｅ（商標）など）、無線対応タブレットデバイス（例えば、ｉＰａｄ（商標）など）、又は、これらの任意の組み合わせを含むが、これらに限定されない。１つの特定の機器構成及びレイアウトを本明細書で示しかつ論じているが、本開示を考慮に入れると、当業者によって、多くの他の構成が容易に実施可能であり、図４の装置４００は、本開示のより広範な原理の単なる例示であることが認識されよう。
【００６９】
図４の装置４００は、１つ以上の無線送受信機４０２と、プロセッサ４０４と、コンピュータ可読メモリ４０６を含む。
【００７０】
処理サブシステム４０４は、マイクロプロセッサ、デジタルシグナルプロセッサ、フィールドプログラマブルゲートアレイ、ＲＩＳＣコア、若しくは１つ以上の基板上に実装される複数の処理構成要素などの、１つ以上の中央演算処理装置（ＣＰＵ）又はデジタルプロセッサを含む。ベースバンド処理サブシステムは、例えば、ＳＲＡＭ、ＦＬＡＳＨ、ＳＤＲＡＭ、及び／又はＨＤＤ（ハードディスクドライブ）構成要素を含み得る、コンピュータ可読メモリ４０６に結合される。本明細書で使用するとき、用語「メモリ」とは、ＲＯＭ、ＰＲＯＭ、ＥＥＰＲＯＭ、ＤＲＡＭ、ＳＤＲＡＭ、ＤＤＲ／２  ＳＤＲＡＭ、ＥＤＯ／ＦＰＭＳ、ＲＬＤＲＡＭ、ＳＲＡＭ、「フラッシュ」メモリ（例えば、ＮＡＮＤ／ＮＯＲ）、及びＰＳＲＡＭを含む、デジタルデータを記憶するように適合された任意のタイプの集積回路若しくは他の記憶デバイスを含むが、これらに限定しない。処理サブシステムはまた、専用グラフィックアクセラレータ、ネットワークプロセッサ（ＮＰ）、オーディオ／ビデオプロセッサなどの追加のコプロセッサも含み得る。図示のように、処理サブシステム４０４は、個別構成要素を含むが、しかしながら、一部の実施形態では、それらの構成要素は、ＳｏＣ（システムオンチップ）構成に統合又は形成することができる点が理解されよう。
【００７１】
処理サブシステム４０４は、１つ以上の送受信機４０２から１つ以上のデータストリームを受信するように適合される。処理サブシステムは、先述した方法に従って１つ以上の無線送受信機の選択的なイネーブル／ディスエーブルを実行する（先述したような）論理部も含む。１つの変形例では、この論理部は、処理サブシステム上で実行されるように適合されたソフトウェア内で実行されるが、本明細書に記載の原理と一致していれば、ハードウェア又はファームウェア（又は、それらの任意の組み合わせ）を同じように成功裏に使用できることが理解されるであろう。
【００７２】
機器無線アクセス技術をインテリジェントに選択する無数の他の方式が、本開示を考慮に入れると当業者により認識されるであろう。
【００７３】
本開示の特定の実施形態を特定の方法の具体的なステップのシーケンスの観点から説明しているが、これらの説明は、本記載のより広範な方法の例示に過ぎないものであり、具体的な適用によって、必要に応じて修正することができる点が、認識されるであろう。特定のステップは、特定の状況下では、不必要又は任意選択とすることができる。更には、特定のステップ又は機能性を、開示される実施形態に追加することができ、あるいは２つ以上のステップの実行の順序を、置き換えることもできる。全てのそのような変更形態は、本開示の範囲内に包含されると見なされる。
【００７４】
上記の詳細な説明では、様々な実施形態に適用されるような、本開示の新規の機構を示し、説明し、指摘しているが、例示された機器又はプロセスの形態及び詳細の様々な省略、置換、並びに変更を、本記載の原理から逸脱することなく当業者によって実施することができる点が理解されるであろう。上述の説明は、現時点で想到される最良の実施態様の説明である。本説明は、限定することを決して意図するものではなく、むしろ、本明細書で説明される一般的原理の例示として解釈されるべきである。本開示の範囲は、請求の範囲に準拠して決定されるべきである。
【図１】
2015513251.tif 000003
【図２】
2015513251.tif 000004
【図３】
2015513251.tif 000005
【図４】
2015513251.tif 000006
【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
モバイル装置であって、
少なくとも第１のイネーブルされたモード及び第２のディスエーブルされたモードで動作可能なセルラー無線送受信器と、
前記セルラー無線送受信器と信号通信しているプロセッサと、
前記プロセッサと通信しているコンピュータ化された論理部であって、前記モバイル装置に、
前記プロセッサの動作状態及び無線ローカルエリアネットワーク（ＷＬＡＮ）インターフェースの状態を判断させ、
前記プロセッサの前記動作状態が電力消費低減モードを示すか、又は、前記ＷＬＡＮインターフェースの前記状態が前記モバイル装置とＷＬＡＮとの間の関連を示すとき、前記セルラー無線送受信器を前記第２のディスエーブルされたモードで動作させ、
それ以外のときは、前記第１のイネーブルされたモードで前記セルラー無線送受信器を動作させるように構成されたコンピュータ化された論理部とを備えることを特徴とするモバイル装置。
【請求項２】
前記第１のイネーブルされたモードは、ロングタームエボリューション（ＬＴＥ）無線アクセス技術（ＲＡＴ）を含む第１のシステム選択プリファレンスを含み、前記第２のディスエーブルされたモードは、前記ＬＴＥ  ＲＡＴを除く第２のシステム選択プリファレンスを含むことを特徴とする請求項１のモバイル装置。
【請求項３】
前記第１のイネーブルされたモードは、１組のＲＡＴを含む第１のシステム選択プリファレンスを含み、前記第２のディスエーブルされたモードは、前記第１のシステム選択プリファレンスよりも少数の選択肢を有するＲＡＴのサブセットを含む第２のシステム選択プリファレンスを含むことを特徴とする請求項１のモバイル装置。
【請求項４】
前記コンピュータ化された論理部は、前記プロセッサの前記動作状態が表示モードがオフであることを示すときに、前記モバイル装置に、前記セルラー無線送受信器を前記第２のディスエーブルされたモードで動作させるように更に構成されることを特徴とする請求項１のモバイル装置。
【請求項５】
前記コンピュータ化された論理部は、前記モバイル装置に、前記セルラー無線送受信器を介した１つ以上のバックグラウンドプロセスを介したデータ転送が完了するまで、前記セルラー無線送受信器を前記第２のディスエーブルされたモードで動作させることを遅延させるように更に構成されることを特徴とする請求項１のモバイル装置。
【請求項６】
前記コンピュータ化された論理部は、前記モバイル装置に、前記セルラー無線送受信器を使用して前記モバイル装置の１つ以上の接続又は関連を解除することにより前記セルラー無線送受信器を前記第２のディスエーブルされたモードで動作させるように構成されることを特徴とする請求項１のモバイル装置。
【請求項７】
前記コンピュータ化された論理部は、前記モバイル装置に、前記モバイル装置を回線交換音声ネットワークと関連づけることにより、前記セルラー無線送受信器を前記第２のディスエーブルされたモードで動作させるように更に構成されることを特徴とする請求項１のモバイル装置。
【請求項８】
前記コンピュータ化された論理部は、前記モバイル装置に、前記セルラー無線送受信器を使用する現在のデータ接続を閉鎖することと、データセッションを前記セルラー無線送受信器から前記ＷＬＡＮインターフェースに移行することの内の１つ以上を行なうことにより、前記セルラー無線送受信器を前記第２のディスエーブルされたモードで動作させるように構成されることを特徴とする請求項１のモバイル装置。
【請求項９】
前記コンピュータ化された論理部は、前記モバイル装置に、前記モバイル装置の場所と時刻と前記モバイル装置上で実行中である１組のアプリケーションとの内の１つ以上を含む１組のユーザプリファレンスに基づいて、前記セルラー無線送受信器を前記第１のイネーブルされたモード、又は、前記第２のディスエーブルされたモードで動作させるように更に構成されることを特徴とする請求項１のモバイル装置。
【請求項１０】
モバイル機器を動作させる方法であって、
前記モバイル機器内のプロセッサの動作状態及び前記モバイル機器の無線ローカルエリアネットワーク（ＷＬＡＮ）インターフェースの状態を判断することと、
前記プロセッサの前記動作状態が電力消費低減モードを示すか、又は、前記ＷＬＡＮインターフェースの前記状態が前記モバイル機器とＷＬＡＮとの間の関連を示すときに前記モバイル機器のセルラー無線送受信器を第２のディスエーブルされたモードで動作させることと、
それ以外のときは、前記モバイル機器の前記セルラー無線送受信器を第１のイネーブルされたモードで動作させることとを含むことを特徴とする方法。
【請求項１１】
前記第１のイネーブルされたモードは、ロングタームエボリューション（ＬＴＥ）無線アクセス技術（ＲＡＴ）を含む第１のシステム選択プリファレンスを含み、前記第２のディスエーブルされたモードは、前記ＬＴＥ  ＲＡＴを除く第２のシステム選択プリファレンスを含むことを特徴とする請求項１０に記載の方法。
【請求項１２】
前記第１のイネーブルされたモードは、１組のＲＡＴを含む第１のシステム選択プリファレンスを含み、前記第２のディスエーブルされたモードは、前記第１のシステム選択プリファレンスよりも少数の選択肢を有するＲＡＴのサブセットを含む第２のシステム選択プリファレンスを含むことを特徴とする請求項１０に記載の方法。
【請求項１３】
前記プロセッサの前記動作状態が表示モードがオフであることを示すときに、前記セルラー無線送受信器を前記第２のディスエーブルされたモードで動作させることを更に含むことを特徴とする請求項１０に記載の方法。
【請求項１４】
前記セルラー無線送受信器を介した１つ以上のバックグラウンドプロセスを介したデータ転送が完了するまで、前記セルラー無線送受信器を前記第２のディスエーブルされたモードで動作させることを遅延させることを更に含むことを特徴とする請求項１０に記載の方法。
【請求項１５】
前記セルラー無線送受信器を前記第２のディスエーブルされたモードで動作させることは、
前記セルラー無線送受信器を使用する前記モバイル機器の１つ以上の接続又は関連を解除することと、
前記モバイル機器を回線交換音声ネットワークと関連づけることとを含むことを特徴とする請求項１０に記載の方法。
【請求項１６】
前記セルラー無線送受信器を前記第２のディスエーブルされたモードで動作させることは、
前記セルラー無線送受信器を使用して現在のデータ接続をクローズすることと、
データセッションを前記セルラー無線送受信器から前記ＷＬＡＮインターフェースに移行することとの内の１つ以上を含むことを特徴とする請求項１０に記載の方法。
【請求項１７】
前記モバイル装置は、前記モバイル装置の場所と時刻と前記モバイル機器上で実行中である１組のアプリケーションとの内の１つ以上を含む１組のユーザ機器に基づいて、前記第２のディスエーブルされたモードで、又は、前記第１のイネーブルされたモードで動作することを特徴とする請求項１０に記載の方法。
【請求項１８】
モバイル機器のインターフェースを選択し動作させる装置であって、
前記モバイル機器内のプロセッサの動作状態及び前記モバイル機器の無線ローカルエリアネットワーク（ＷＬＡＮ）インターフェースの状態を判断する手段と、
前記プロセッサの前記動作状態が電力消費低減モードを示すか、又は、前記ＷＬＡＮインターフェースの前記状態が前記モバイル機器とＷＬＡＮとの間の関連を示すときに前記モバイル機器のセルラー無線インターフェースを第２のディスエーブルされたモードで動作させる手段と、
それ以外のときに、前記モバイル機器の前記セルラー無線インターフェースを第１のイネーブルされたモードで動作させる手段とを備えることを特徴とする装置。
【請求項１９】
前記セルラー無線インターフェースを前記第２のディスエーブルされたモードで動作させる手段は、
前記セルラー無線インターフェースを使用する前記モバイル機器の１つ以上の接続又は関連を解除する手段と、
前記モバイル機器を回線交換音声ネットワークと関連づける手段とを備えることを特徴とする請求項１８に記載の装置。
【請求項２０】
前記セルラー無線インターフェースを前記第２のディスエーブルされたモードで動作させる手段は、
前記セルラー無線インターフェースを使用して現在のデータ接続をクローズする手段と、
データセッションを前記セルラー無線送受信器から前記ＷＬＡＮインターフェースに移行する手段との内の１つ以上を備えることを特徴とする請求項１８に記載の装置。
【国際調査報告】
2015513251.tif 000007
2015513251.tif 000008